(57)【要約】【課題】災害等が発生した場合でも、医用画像データをバックアップする可能性を高めることができる医用画像診断装置及び医用画像データバックアップシステムを提供すること。【解決手段】実施形態の医用画像診断装置は、取得部と、送信部とを備える。取得部は、診断に用いられる医用画像データが確定されるごとに、検査時に撮像された医用画像データのうち、該診断に用いられた医用画像データを取得する。送信部は、取得部により診断に用いられた医用画像データが取得されるごとに、取得された医用画像データを、遠隔地に設置されたバックアップ装置に送信し、かつ、所定期間の業務終了後に、撮像された医用画像データを該バックアップ装置に送信する。【選択図】図１
2014104137.tif 000002
【特許請求の範囲】
【請求項１】
診断に用いられる医用画像データが確定されるごとに、検査時に撮像された医用画像データのうち、該診断に用いられた医用画像データを取得する取得部と、
前記取得部により前記診断に用いられた医用画像データが取得されるごとに、取得された前記医用画像データを、遠隔地に設置されたバックアップ装置に送信し、かつ、所定期間の業務終了後に、前記撮像された医用画像データを該バックアップ装置に送信する送信部と
を備えたことを特徴とする医用画像診断装置。
【請求項２】
前記取得部は、表示部が表示する医用画像データのイメージをキャプチャして、前記診断に用いられた医用画像データを取得することを特徴とする請求項１に記載の医用画像診断装置。
【請求項３】
前記取得部は、前記検査時に撮像された複数のフレームからなる医用画像データのうち１フレームを抽出して、前記診断に用いられた医用画像データを取得することを特徴とする請求項１に記載の医用画像診断装置。
【請求項４】
診断に用いられる医用画像データが確定されるごとに、検査時に撮像された医用画像データのうち、該診断に用いられる医用画像データに対して、診断に用いられたことを示す情報を付与する付与部と、
前記検査の終了時に、前記撮像された医用画像データのうち、前記診断に用いられたことを示す情報の付与された医用画像データを、遠隔地に設置されたバックアップ装置に送信する送信部と
を備えたことを特徴とする医用画像診断装置。
【請求項５】
前記診断に用いられたことを示す情報が付与されるごとに、表示部が表示する前記診断に用いられた医用画像データのイメージをキャプチャして、該診断に用いられた医用画像データを取得する取得部を更に備え、
前記送信部は、更に、前記取得部により前記診断に用いられた医用画像データが取得されるごとに、取得された前記医用画像データを、前記バックアップ装置に送信する
ことを特徴とする請求項４に記載の医用画像診断装置。
【請求項６】
前記診断に用いられたことを示す情報が付与されるごとに、前記検査時に撮像された複数のフレームからなる前記診断に用いられた医用画像データのうち１フレームを抽出して、前記診断に用いられた医用画像データを取得する取得部を更に備え、
前記送信部は、更に、前記取得部により前記診断に用いられた医用画像データが取得されるごとに、取得された前記医用画像データを、前記バックアップ装置に送信する
ことを特徴とする請求項４に記載の医用画像診断装置。
【請求項７】
所定期間の業務終了後に、該業務中に行われた検査のうち、前記付与部により前記診断に用いられたことを示す情報が、検査時に撮像されたいずれの医用画像データにも付与されていない検査が存在するか否かを判定する判定部を更に備え、
前記送信部は、前記判定部により前記診断に用いられたことを示す情報が、いずれの医用画像データにも付与されていない検査が存在すると判定された場合、該検査時に撮像された医用画像データを前記バックアップ装置に送信する
ことを特徴とする請求項４〜６のいずれか一つに記載の医用画像診断装置。
【請求項８】
前記付与部は、前記診断に用いられたことを示す情報が、いずれの医用画像データにも付与されていない検査において撮像された医用画像データのうち、新たに診断に用いられた医用画像データに対して、該新たに確定診断に用いられたことを示す情報を付与し、
前記送信部は、前記バックアップ装置に前記確定診断に用いられたことを示す情報を送信する
ことを特徴とする請求項７に記載の医用画像診断装置。
【請求項９】
医用画像診断装置と、該医用画像診断装置により撮像された医用画像データを記憶するバックアップ装置とを有する医用画像データバックアップシステムにおいて、
前記医用画像診断装置は、
診断に用いられる医用画像データが確定されるごとに、検査時に撮像された医用画像データのうち、該診断に用いられる医用画像データに対して、診断に用いられたことを示す情報を付与する付与部と、
前記検査の終了時に、前記撮像された医用画像データのうち、前記診断に用いられたことを示す情報の付与された医用画像データを、遠隔地に設置されたバックアップ装置に送信する送信部とを備え、
前記バックアップ装置は、
前記医用画像診断装置から前記情報の付与された医用画像データを受信する受信部と、
受信した前記医用画像データを記憶部に記憶させる記憶制御部とを備えた
ことを特徴とする医用画像データバックアップシステム。
【請求項１０】
前記医用画像診断装置は、
所定期間の業務終了後に、該業務中に行われた検査のうち、前記付与部により前記診断に用いられたことを示す情報が、検査時に撮像されたいずれの医用画像データにも付与されていない検査が存在するか否かを判定する判定部を更に備え、
前記送信部は、前記判定部により前記診断に用いられたことを示す情報が、いずれの医用画像データにも付与されていない検査が存在すると判定された場合、該検査時に撮像された医用画像データを前記バックアップ装置に送信する
ことを特徴とする請求項９に記載の医用画像データバックアップシステム。
【請求項１１】
前記付与部は、前記診断に用いられたことを示す情報が、いずれの医用画像データにも付与されていない検査において撮像された医用画像データのうち、新たに診断に用いられた医用画像データに対して、該新たに確定診断に用いられたことを示す情報を付与し、
前記送信部は、前記バックアップ装置に前記確定診断に用いられたことを示す情報を送信する
ことを特徴とする請求項１０に記載の医用画像データバックアップシステム。
【請求項１２】
前記バックアップ装置は、
前記新たに確定診断に用いられたことを示す情報が医用画像データに付与された検査において、所定の期間が経過後、前記診断に用いられたことを示す情報が付与されていない医用画像データを前記記憶部から削除する管理部を更に備えたことを特徴とする請求項１１に記載の医用画像データバックアップシステム。
【発明の詳細な説明】
【技術分野】
【０００１】
本発明の実施形態は、医用画像診断装置及び医用画像データバックアップシステムに関する。
【背景技術】
【０００２】
従来、病院で得られたさまざまな医用画像データのバックアップは１日の診療が終わった後などにまとめて実施されてきた。この一方で、診療が終わる前に震災等の災害が生じた場合、その日の医用画像データが失われる可能性がある。このため、リアルタイムに遠隔地にバックアップを取るという方向になりつつある。
【０００３】
また、医用画像診断装置において取得される医用画像データはデータ量が大きい。このため、ネットワークの環境によっては、遠隔地にリアルタイムにバックアップを取得することに時間がかかってしまう場合がある。そして、スケジュールされたバックアップ時間が長くなるため、その間に災害があった場合には、医用画像データが失われる危険性が高くなる。
【先行技術文献】
【特許文献】
【０００４】
【特許文献１】特開２００４−１７９７８７号公報
【特許文献２】特開２００５−１６５４８６号公報
【発明の概要】
【発明が解決しようとする課題】
【０００５】
本発明が解決しようとする課題は、災害等が発生した場合でも、医用画像データをバックアップする可能性を高めることができる医用画像診断装置及び医用画像データバックアップシステムを提供することである。
【課題を解決するための手段】
【０００６】
実施形態の医用画像診断装置は、取得部と、送信部とを備える。取得部は、診断に用いられる医用画像データが確定されるごとに、検査時に撮像された医用画像データのうち、該診断に用いられた医用画像データを取得する。送信部は、取得部により診断に用いられた医用画像データが取得されるごとに、取得された医用画像データを、遠隔地に設置されたバックアップ装置に送信し、かつ、所定期間の業務終了後に、撮像された医用画像データを該バックアップ装置に送信する。
【図面の簡単な説明】
【０００７】
【図１】図１は、第１の実施形態に係る医用画像データバックアップシステムの構成の一例を示す図である。
【図２】図２は、第１の実施形態に係る医用画像診断装置による処理動作の一例を示す図である。
【図３】図３は、医用画像診断装置による処理の処理手順を示すフローチャートである。
【図４】図４は、第２の実施形態に係る医用画像データバックアップシステムの構成の一例を示す図である。
【図５】図５は、検査時に確定診断がされる場合の医用画像診断装置による処理動作の一例を示す図である。
【図６】図６は、検査時に確定診断がされない場合の医用画像診断装置による処理動作の一例を示す図である。
【図７】図７は、検査後の別の日に確定診断がされる場合の医用画像診断装置による処理動作の一例を示す図である。
【図８】図８は、医用画像診断装置による処理動作の一例を示す図である。
【図９】図９は、検査時の医用画像診断装置による処理の処理手順を示すフローチャートである。
【図１０】図１０は、検査後の別の日に確定診断がされる場合の医用画像診断装置による処理の処理手順を示すフローチャートである。
【図１１】図１１は、リモートバックアップ装置による処理の処理手順を示すフローチャートである。
【図１２】図１２は、リモート画像管理部による処理の処理手順を示すフローチャートである。
【図１３】図１３は、第３の実施形態に係る医用画像データバックアップシステムの構成の一例を示す図である。
【図１４】図１４は、医用画像診断装置による処理動作の一例を示す図である。
【図１５】図１５は、医用画像診断装置による処理の処理手順を示すフローチャートである。
【発明を実施するための形態】
【０００８】
以下、図面を参照して、実施形態に係る医用画像診断装置及び医用画像データバックアップシステムを説明する。そして、各実施形態は、処理内容を矛盾させない範囲で適宜組み合わせることが可能である。
【０００９】
（第１の実施形態）
第１の実施形態では、確定診断に用いられた医用画像データよりもデータサイズの小さい医用画像データを取得して、検査の終了前に、遠隔地に設置されたリモートバックアップ装置１０に送信する医用画像診断装置２０を例に説明する。なお、ここでいう「確定診断」とは、診断に用いられる医用画像データを確定することを示す。
【００１０】
［第１の実施形態に係る医用画像データバックアップシステム１の構成］
図１は、第１の実施形態に係る医用画像データバックアップシステム１の構成の一例を示す図である。図１に示すように、医用画像データバックアップシステム１は、リモートバックアップ装置１０と、医用画像診断装置２０とを有する。また、医用画像データバックアップシステム１において、リモートバックアップ装置１０と、医用画像診断装置２０とは、ネットワークを介して互いに通信可能に接続される。なお、リモートバックアップ装置１０は、医用画像診断装置２０に対して遠隔地に設置される。
【００１１】
リモートバックアップ装置１０は、ＨＤＤ（Hard  Disk  Drive）などの記憶装置を有し、医用画像診断装置２０により撮像された医用画像データを記憶する。医用画像診断装置２０は、Ｘ線診断装置、Ｘ線ＣＴ装置、ＭＲＩ装置、超音波診断装置、ＳＰＥＣＴ（Single  Photon  Emission  Computed  Tomography）装置、ＰＥＴ（Positron  Emission  computed  Tomography）装置、ＳＰＥＣＴ装置とＸ線ＣＴ装置とが一体化されたＳＰＥＣＴ−ＣＴ装置、ＰＥＴ装置とＸ線ＣＴ装置とが一体化されたＰＥＴ−ＣＴ装置、又はこれらの装置群などである。このような、医用画像データバックアップシステム１において、一日の業務として、１以上の検査が実行される。
【００１２】
［第１の実施形態に係る医用画像診断装置２０の構成］
続いて、図１を用いて、医用画像診断装置２０の構成について説明する。図１に示すように、医用画像診断装置２０は、画像記憶部２１と、画像表示部２２と、入力部２３と、システム制御部２４と、取得部２５と、通信部２６とを有する。
【００１３】
画像記憶部２１は、例えば、半導体メモリ素子、又はＨＤＤなどの記憶装置であり、医用画像診断装置２０において撮像された医用画像データを記憶する。
【００１４】
画像表示部２２は、モニタであり、各種情報を表示する。例えば、画像表示部２２は、システム制御部２４によって生成された医用画像データのイメージや、操作者から各種指示を受け付けるためのＧＵＩ（Graphical  User  Interface）などを表示する。
【００１５】
入力部２３は、医用画像診断装置２０の操作者が各種指示や各種設定の入力に用いるマウスやキーボードなどを有し、操作者から受け付けた指示や設定の情報を、システム制御部２４に転送する。例えば、入力部２３は、医師による確定診断、検査の開始、検査の終了、一日の業務の開始及び一日の業務の終了を受付ける。
【００１６】
システム制御部２４は、画像記憶部２１から医用画像データを読出して、医用画像データのイメージを生成し、画像表示部２２に表示させる。また、システム制御部２４は、入力部２３を介して操作者から受付けた各種指示に基づいて、医用画像診断装置２０の動作を制御する。
【００１７】
取得部２５は、スクリーンキャプチャ部２５ａと画像抽出部２５ｂとを有し、診断に用いられる医用画像データが確定されるごとに、検査時に撮像された医用画像データのうち、この診断に用いられた医用画像データを取得する。
【００１８】
スクリーンキャプチャ部２５ａは、画像表示部２２が表示する医用画像データのイメージをキャプチャして、診断に用いられた医用画像データを取得する。なお、スクリーンキャプチャ部２５ａにより取得された医用画像データには、元の医用画像データの付帯情報とリンクとが含まれる。
【００１９】
画像抽出部２５ｂは、査時に撮像された複数のフレームからなる医用画像データのうち１フレームを抽出して、診断に用いられた医用画像データを取得する。ここで、複数のフレームからなる医用画像データとして、動画などがある。例えば、画像抽出部２５ｂは、複数のフレームからなる医用画像データから、確定診断に用いられた医用画像データを複製して１フレーム取り出す。また、マルチフレーム画像から抽出されるフレームは、キャプチャと比較して画質は高いが、データサイズは大きい。なお、画像抽出部２５ｂにより取得された医用画像データには、元の医用画像データの付帯情報とリンクとが含まれる。
【００２０】
通信部２６は、取得部２５により診断に用いられた医用画像データが取得されるごとに、取得された医用画像データを、遠隔地に設置されたリモートバックアップ装置１０に送信し、かつ、所定期間の業務終了後に、撮像された医用画像データをリモートバックアップ装置１０に送信する。通信部２６は、自装置にて収集した医用画像データをＤＩＣＯＭ規格に則ってリモートバックアップ装置１０に送信する際、この医用画像データが撮像された検査の識別子（以下、「検査ＩＤ（Identifier）」と記す）やこの医用画像データの識別子（以下、「画像ＩＤ」と記す）を付帯情報として医用画像データに付帯させる。
【００２１】
［処理動作］
次に、図２を用いて、第１の実施形態に係る医用画像診断装置２０による処理動作を説明する。図２は、第１の実施形態に係る医用画像診断装置２０による処理動作の一例を示す図である。図２に示すように、医用画像診断装置２０において、システム制御部２４は、画像記憶部２１が記憶する医用画像データを画像表示部２２に表示する（ステップＳ１）。
【００２２】
そして、医師による確定診断がなされた場合（ステップＳ２）、取得部２５は、検査時に撮像された医用画像データのうち、検査時に確定診断に用いられた医用画像データから、確定診断に用いられた医用画像データよりもデータサイズの小さい医用画像データを取得する。例えば、スクリーンキャプチャ部２５ａは、画像表示部２２に表示される医用画像データのキャプチャを取得する（ステップＳ３ａ）。あるいは、画像抽出部２５ｂは、マルチフレーム画像から確定診断された画像のみを複製して１フレーム取り出す（ステップＳ３ｂ）。
【００２３】
そして、通信部２６は、キャプチャ画像または抽出された１フレームをリモートバックアップ装置１０に送信する（ステップＳ４ａ、４ｂ）。また、通信部２６は、一日の業務の終了後に、医用画像データをリモートバックアップ装置１０に送信する（ステップＳ５）。これにより、医用画像データがバックアップされる。
【００２４】
［処理手順］
次に、図３を用いて、医用画像診断装置２０による処理の処理手順を説明する。図３は、医用画像診断装置２０による処理の処理手順を示すフローチャートである。図３に示すように、医用画像診断装置２０において、システム制御部２４は、一日の業務を開始する（ステップＳ１１）。そして、システム制御部２４は、操作者から入力部２３を介して、業務の終了を受付けたか否かを判定する（ステップＳ１２）。
【００２５】
ここで、システム制御部２４は、業務の終了を受付けていないと判定する場合（ステップＳ１２、Ｎｏ）、医用画像データを画像表示部２２に表示する（ステップＳ１３）。続いて、システム制御部２４は、入力部２３を介して、医師から確定診断を受付ける（ステップＳ１４）。そして、取得部２５は、モードが抽出モードであるか否かを判定する（ステップＳ１５）。
【００２６】
ここで、取得部２５が、モードが抽出モードであると判定する場合（ステップＳ１５、Ｙｅｓ）。画像抽出部２５ｂは、１フレームを抽出する（ステップＳ１６）。一方、取得部２５が、モードが抽出モードではないと判定する場合（ステップＳ１５、Ｎｏ）、スクリーンキャプチャ部２５ａは、スクリーンキャプチャを取得する（ステップＳ１７）。
【００２７】
ステップＳ１６またはステップＳ１７の処理の後、通信部２６は、取得した医用画像データをリモートバックアップ装置１０に送信し（ステップＳ１８）、ステップＳ１２に移行する。
【００２８】
ステップＳ１２において、システム制御部２４は、業務の終了を受付けたと判定する場合（ステップＳ１２、Ｙｅｓ）、通信部２６は、本日のすべての画像をリモートバックアップ装置１０に送信し（ステップＳ１９）、処理を終了する。
【００２９】
上述したように、第１の実施形態によれば、診断に使った最小限の医用画像データを検査の終了前に送信することで、素早くリアルタイムに確定診断に用いた医用画像データをバックアップすることができる。
【００３０】
なお、第１の実施形態に係る医用画像診断装置２０は、一定サイズ以下の小さな医用画像データや、確定診断された医用画像データとキャプチャ画像とのサイズに差がない医用画像データについては、キャプチャ画像ではなく、元の医用画像データをリモートバックアップ装置１０に送信するようにしてもよい。
【００３１】
（第２の実施形態）
第１の実施形態では、医用画像診断装置２０が、確定診断に用いられた医用画像データよりもデータサイズの小さい医用画像データを取得して、検査の終了前に、遠隔地に設置されたリモートバックアップ装置１０に送信する場合について説明した。
【００３２】
ところで、医用画像診断装置において、業務が終了するまで確定診断に用いた元の医用画像データはバックアップされない。また、医用画像診断装置は、必ずしもすべての医用画像データをバックアップしなくてはならないわけではない。
【００３３】
そこで、第２の実施形態では、確定診断に用いられた医用画像データに対して、確定診断に用いられたことを示す情報を付与し、検査の終了時に、確定診断に用いられたことを示す情報が付与された医用画像データをリモートバックアップ装置１０に送信する場合を例にする。
【００３４】
［第２の実施形態に係る医用画像データバックアップシステム１ａの構成］
図４は、第２の実施形態に係る医用画像データバックアップシステム１ａの構成の一例を示す図である。図４に示すように、医用画像データバックアップシステム１ａは、リモートバックアップ装置１０ａと、医用画像診断装置２０ａとを有する。また、医用画像データバックアップシステム１ａにおいて、リモートバックアップ装置１０ａと、医用画像診断装置２０ａとは、ネットワークを介して互いに通信可能に接続される。なお、リモートバックアップ装置１０ａは、医用画像診断装置２０ａに対して遠隔地に設置される。
【００３５】
［第２の実施形態に係るリモートバックアップ装置１０ａの構成］
続いて、図４を用いて、リモートバックアップ装置１０ａの構成について説明する。図４に示すように、リモートバックアップ装置１０ａは、リモート画像記憶部１１と、リモート画像受信部１２と、記憶制御部１３と、リモート画像管理部１４とを有する。
【００３６】
リモート画像記憶部１１は、例えば、半導体メモリ素子、又はＨＤＤなどの記憶装置であり、医用画像診断装置２０ａから受信した医用画像データを記憶する。また、医用画像データは、例えば「検査ＩＤ」と、「画像ＩＤ」と、「確定診断に用いられたことを示す情報」とを付帯情報として有する。
【００３７】
リモート画像受信部１２は、医用画像診断装置２０ａにより送信された医用画像データや確定診断に用いられたことを示す情報を受信する。
【００３８】
記憶制御部１３は、リモート画像受信部１２により受信された医用画像データをリモート画像記憶部１１に記憶させる。また、記憶制御部１３は、確定診断に用いられたことを示す情報を、リモート画像記憶部１１に記憶される医用画像データの付帯情報に記憶させる。
【００３９】
リモート画像管理部１４は、新たに確定診断に用いられたことを示す情報が医用画像データに付与された検査において、所定の期間が経過後、診断に用いられたことを示す情報が付与されていない医用画像データをリモート画像記憶部１１から削除する。なお、リモート画像管理部１４は、確定診断に用いられたことを示す情報が医用画像データに付与されていない検査については、リモート画像記憶部１１から削除しない。
【００４０】
［第２の実施形態に係る医用画像診断装置２０ａの構成］
続いて、図４を用いて、医用画像診断装置２０ａの構成について説明する。図４に示すように、医用画像診断装置２０ａは、画像記憶部２１と、画像表示部２２と、入力部２３と、システム制御部２４と、通信部２６ａと、マーク付与部２７と、判定部２８とを有する。なお、ここでは、図１に示した各部と同様の役割を果たす機能部については、同一符号を付すことにしてその詳細な説明を省略する。
【００４１】
マーク付与部２７は、診断に用いられる医用画像データが確定されるごとに、検査時に撮像された医用画像データのうち、この診断に用いられる医用画像データに対して、診断に用いられたことを示す情報を付与する。例えば、マーク付与部２７は、医用画像データの付帯情報に、診断に用いられたことを示す情報を付与する。なお、以下の説明では、診断に用いられたことを示す情報のことを「マーク」と称する。
【００４２】
マーク付与部２７は、診断に用いられたことを示す情報が、いずれの医用画像データにも付与されていない検査において撮像された医用画像データのうち、新たに診断に用いられた医用画像データに対して、新たにマークを付与する。
【００４３】
判定部２８は、所定期間の業務終了後に、該業務中に行われた検査のうち、マーク付与部２７により診断に用いられたことを示す情報が、検査時に撮像されたいずれの医用画像データにも付与されていない検査が存在するか否かを判定する。
【００４４】
そして、判定部２８ａは、マークが付与されていない検査が存在すると判定する場合、このマークが付与されていない検査時に撮像された医用画像データをリモートバックアップ装置１０ａに送信する旨を通信部２６ａに通知する。
【００４５】
通信部２６ａは、検査の終了時に、撮像された医用画像データのうち、診断に用いられたことを示す情報の付与された医用画像データを、遠隔地に設置されたリモートバックアップ装置１０ａに送信する。
【００４６】
通信部２６ａは、判定部２８により診断に用いられたことを示す情報が、いずれの医用画像データにも付与されていない検査が存在すると判定された場合、この検査時に撮像された医用画像データをリモートバックアップ装置１０ａに送信する。
【００４７】
また、通信部２６ａは、新たに確定診断に用いられた医用画像データに対して、マークが付与された場合に、マークをリモートバックアップ装置１０ａに送信する。例えば、通信部２６ａは、マークと、画像ＩＤとを対応付けてリモートバックアップ装置１０ａに送信する。
【００４８】
［検査時に確定診断がされる場合の医用画像診断装置２０ａによる処理動作］
次に、図５を用いて、検査時に確定診断がされる場合の医用画像診断装置２０ａによる処理動作を説明する。図５は、検査時に確定診断がされる場合の医用画像診断装置２０ａによる処理動作の一例を示す図である。また、図５では、検査において、画像Ａから画像Ｆまでの６枚の画像が撮像され、かつ医師により確定診断がされる場合を示す。
【００４９】
図５に示すように、マーク付与部２７は、医師により画像Ｆを用いて確定診断された場合、画像Ｆにマーク５０を付与する。なお、この場合、画像Ａから画像Ｅについては、マークは付与されない。そして、通信部２６ａは、検査の終了後、マーク５０が付与された画像Ｆを、リモートバックアップ装置１０ａに送信する。
【００５０】
［検査時に確定診断がされない場合の医用画像診断装置２０ａによる処理動作］
次に、図６を用いて、検査時に確定診断がされない場合の医用画像診断装置２０ａによる処理動作を説明する。図６は、検査時に確定診断がされない場合の医用画像診断装置２０ａによる処理動作の一例を示す図である。また、図６では、検査において、画像Ａから画像Ｆまでの６枚の画像が撮像され、かつ医師により確定診断がされない場合を示す。
【００５１】
図６に示すように、マーク付与部２７は、医師により確定診断がされなかったので、画像Ａから画像Ｆのいずれにもマークを付与しない。そして、通信部２６ａは、検査の終了後、画像Ａから画像Ｆを、リモートバックアップ装置１０ａに送信する。すなわち、確定診断されなかった場合、検査時に撮像された画像は、リモートバックアップ装置１０ａに送信される。
【００５２】
［検査後の別の日に確定診断がされる場合の医用画像診断装置２０ａによる処理動作］
次に、図７を用いて、検査後の別の日に確定診断がされる場合の医用画像診断装置２０ａによる処理動作を説明する。図７は、検査後の別の日に確定診断がされる場合の医用画像診断装置２０ａによる処理動作の一例を示す図である。また、図７では、検査時には、画像Ａから画像Ｆまでの６枚の画像が撮像され、かつ医師により確定診断がされず、検査後の別の日に確定診断がされる場合を示す。
【００５３】
図７に示すように、医用画像診断装置２０ａにおいて、マーク付与部２７は、医師により画像Ｆを用いて確定診断された場合、画像Ｆにマーク５０を付与する。そして、通信部２６ａは、検査の終了後、画像Ｆに対してマークを付与したことを示す情報をリモートバックアップ装置１０ａに送信する。
【００５４】
リモートバックアップ装置１０ａは、画像Ｆの付帯情報に、マークを付与したことを示す情報を記憶する。そして、リモートバックアップ装置１０ａは、一定期間の経過後、マークを付与したことを示す情報が対応付けられていない医用画像データを削除する。
【００５５】
［医用画像診断装置２０ａによる処理動作］
次に、図８を用いて、医用画像診断装置２０ａによる処理動作を説明する。図８は、医用画像診断装置２０ａによる処理動作の一例を示す図である。図８に示すように、医用画像診断装置２０ａにおいて、システム制御部２４は、画像記憶部２１が記憶する医用画像データを画像表示部２２に表示する（ステップＳ３１）。
【００５６】
そして、医師による確定診断がなされた場合（ステップＳ３２）、マーク付与部２７は、画像表示部２２に表示される医用画像データにマークを付与する（ステップＳ３３）。続いて、通信部２６ａは、検査終了後、マークを付与した医用画像データをリモートバックアップ装置１０に送信する（ステップＳ３４）。そして、通信部２６ａは、一日の業務の終了後に、マークを付与しなかった検査の医用画像データをリモートバックアップ装置１０ａに送信してバックアップする（ステップＳ３５）。
【００５７】
また、マークを付与しなかった検査の医用画像データについて、経過を観察後に医師により確定診断がなされる（ステップＳ３６）。そして、通信部２６ａは、確定診断がされた医用画像データに対してマークを付与したことを示す情報をリモートバックアップ装置１０ａに送信する（ステップＳ３７）。
【００５８】
［処理手順］
次に、図９から図１２を用いて、医用画像データバックアップシステム１ａにおける処理手順を説明する。ここでは、図９を用いて、検査時の医用画像診断装置２０ａによる処理の処理手順を説明し、図１０を用いて、検査後の別の日に確定診断がされる場合の医用画像診断装置２０ａによる処理の処理手順を説明する。また、図１１を用いて、リモートバックアップ装置１０ａによる処理の処理手順を説明し、図１２を用いて、リモート画像管理部１４による処理の処理手順を説明する。
【００５９】
図９は、検査時の医用画像診断装置２０による処理の処理手順を示すフローチャートである。図９に示すように、医用画像診断装置２０において、システム制御部２４は、一日の業務を開始する（ステップＳ４１）。そして、システム制御部２４は、業務の終了を受付けたか否かを判定する（ステップＳ４２）。
【００６０】
ここで、システム制御部２４は、業務の終了を受付けていないと判定する場合（ステップＳ４２、Ｎｏ）、検査の開始を受付ける（ステップＳ４３）。続いて、システム制御部２４は、検査の終了を受付けたか否かを判定する（ステップＳ４４）。
【００６１】
ここで、システム制御部２４は、検査の終了を受付けていないと判定する場合（ステップＳ４４、Ｎｏ）、医用画像データを画像表示部２２に表示する（ステップ４５）。続いて、システム制御部２４は、医師から確定診断を受付ける（ステップＳ４６）。そして、マーク付与部２７は、確定診断を受付けた医用画像データにマークを付与する（ステップＳ４７）。システム制御部２４は、ステップＳ４７の終了後、ステップＳ４４に移行する。
【００６２】
システム制御部２４は、ステップＳ４４において、検査の終了を受付けたと判定する場合（ステップＳ４４、Ｙｅｓ）、検査内のマークが付与された医用画像データをリモートバックアップ装置１０ａに送信する（ステップＳ４８）。そして、システム制御部２４は、ステップＳ４８の終了後、ステップＳ４２に移行する。
【００６３】
ステップＳ４２において、システム制御部２４は、業務の終了を受付けたと判定する場合（ステップＳ４２、Ｙｅｓ）、通信部２６ａは、当日のマークされた画像が存在しない検査内のすべての医用画像データをリモートバックアップ装置１０ａに送信し（ステップＳ４９）、処理を終了する。
【００６４】
図１０は、検査後の別の日に確定診断がされる場合の医用画像診断装置２０による処理の処理手順を示すフローチャートである。なお、この処理は、例えば、マークを付与しなかった検査の医用画像データについて、経過を観察後に確定診断がなされる場合に実行される。
【００６５】
図１０に示すように、システム制御部２４は、過去の検査で得られた医用画像データを画像表示部２２に表示する（ステップ６１）。続いて、システム制御部２４は、医師から確定診断を受付ける（ステップＳ６２）。
【００６６】
マーク付与部２７は、確定診断を受付けた医用画像データにマークを付与する（ステップＳ６３）。そして、通信部２６ａは、確定診断がされた医用画像データに対してマークを付与したことを示す情報をリモートバックアップ装置１０ａに送信する（ステップＳ６４）。
【００６７】
図１１は、リモートバックアップ装置１０ａによる処理の処理手順を示すフローチャートである。図１１に示すように、リモートバックアップ装置１０ａにおいて、リモート画像受信部１２は、データを受信する（ステップＳ７１）。そして、リモート画像受信部１２は、受信したデータが医用画像データであるか否かを判定する（ステップＳ７２）。
【００６８】
ここで、リモート画像受信部１２は、受信したデータが医用画像データではないと判定する場合（ステップＳ７２、Ｎｏ）、マークを受信する（ステップＳ７３）。ここで、リモート画像受信部１２は、マークと、マークを付与する医用画像データの画像ＩＤとを受信する。そして、記憶制御部１３は、リモート画像記憶部１１に記憶される医用画像データのうち、受信した画像ＩＤと一致する医用画像データにマークを付与する（ステップＳ７４）。なお、リモートバックアップ装置１０ａは、ステップＳ７４の終了後、ステップＳ７１に移行する。
【００６９】
また、リモート画像受信部１２は、ステップＳ７２において、受信したデータが医用画像データであると判定する場合（ステップＳ７２、Ｙｅｓ）、医用画像データを受信する（ステップＳ７５）。続いて、記憶制御部１３は、医用画像データをリモート画像記憶部１１に記憶させる（ステップＳ７６）。なお、リモートバックアップ装置１０ａは、ステップＳ７６の終了後、ステップＳ７１に移行する。
【００７０】
図１２は、リモート画像管理部１４による処理の処理手順を示すフローチャートである。図１２に示すように、リモート画像管理部１４は、検査ＩＤに対応する画像ＩＤが複数あり、いずれかにマークが付与されているか否かを判定する（ステップＳ７７）。ここで、リモート画像管理部１４は、検査ＩＤに対応する画像ＩＤが複数あり、いずれかにマークが付与されていないと判定する場合（ステップＳ７７、Ｎｏ）、一定時間が経過後にステップＳ７７を実行する。
【００７１】
また、リモート画像管理部１４は、検査ＩＤに対応する画像ＩＤが複数あり、いずれかにマークが付与されていると判定する場合（ステップＳ７７、Ｙｅｓ）、医用画像データがバックアップされてからの時間を取得する（ステップＳ７８）。
【００７２】
そして、リモート画像管理部１４は、Ｎ日以上経過したか否かを判定する（ステップＳ７９）。なお、Ｎ日は、任意の日数である。ここで、リモート画像管理部１４は、Ｎ日以上経過していないと判定する場合（ステップＳ７９、Ｎｏ）、マークが付与されていない医用画像データを削除せずに、ステップＳ７７に移行する。
【００７３】
一方、リモート画像管理部１４は、Ｎ日以上経過していると判定する場合（ステップＳ７９、Ｙｅｓ）、マークが付与されていない医用画像データを削除し（ステップＳ８０）、ステップＳ７７に移行する。
【００７４】
上述したように、第２の実施形態によれば、検査終了後に確定診断された元画像を送信する。これによって最終的にはバックアップされたデータの画像品質はオリジナルと同等となる。さらに、第２の実施形態によれば、最終的に、必要な画像のみをバックアップすることで、バックアップに必要な容量をより少なくすることができる。
【００７５】
（第３の実施形態）
第３の実施形態では、第１の実施形態及び第２の実施形態を組み合わせた医用画像データバックアップシステムについて説明する。
【００７６】
［第３の実施形態に係る医用画像データバックアップシステム１ｂの構成］
図１３は、第３の実施形態に係る医用画像データバックアップシステム１ｂの構成の一例を示す図である。図１３に示すように、医用画像データバックアップシステム１ｂは、リモートバックアップ装置１０ａと、医用画像診断装置２０ｂとを有する。また、医用画像データバックアップシステム１ｂにおいて、リモートバックアップ装置１０ａと、医用画像診断装置２０ｂとは、ネットワークを介して互いに通信可能に接続される。なお、リモートバックアップ装置１０ａは、医用画像診断装置２０ｂに対して遠隔地に設置される。
【００７７】
［第３の実施形態に係る医用画像診断装置２０ｂの構成］
続いて、図１３を用いて、医用画像診断装置２０ｂの構成について説明する。図１３に示すように、医用画像診断装置２０ｂは、画像記憶部２１と、画像表示部２２と、入力部２３と、システム制御部２４と、取得部２５と、通信部２６ａと、マーク付与部２７と、判定部２８とを有する。なお、ここでは、図１又は図４に示した各部と同様の役割を果たす機能部については、同一符号を付すことにしてその詳細な説明を省略する。
【００７８】
［処理動作］
次に、図１４を用いて、医用画像診断装置２０ｂによる処理動作を説明する。図１４は、医用画像診断装置２０ｂによる処理動作の一例を示す図である。図１４に示すように、システム制御部２４は、画像記憶部２１が記憶する医用画像データを画像表示部２２に表示する（ステップＳ９１）。
【００７９】
そして、医師による確定診断がなされた場合（ステップＳ９２）、取得部２５は、検査時に撮像された医用画像データのうち、検査時に確定診断に用いられた医用画像データから、確定診断に用いられた医用画像データよりもデータサイズの小さい医用画像データを取得する。例えば、スクリーンキャプチャ部２５ａは、画像表示部２２に表示される医用画像データのキャプチャを取得する（ステップＳ９３ａ）。あるいは、画像抽出部２５ｂは、マルチフレーム画像から確定診断された画像のみを複製して１フレーム取り出す（ステップＳ９３ｂ）。
【００８０】
そして、通信部２６ａは、キャプチャ画像または抽出された１フレームをリモートバックアップ装置１０ａに送信する（ステップＳ９４ａ、９４ｂ）。そして、通信部２６ａは、検査終了後、マークを付与した医用画像データをリモートバックアップ装置１０ａに送信する。
【００８１】
また、通信部２６ａは、一日の業務の終了後に、当日のマークされた画像が存在しない検査内のすべての医用画像データをリモートバックアップ装置１０ａに送信する（ステップＳ９５）。
【００８２】
システム制御部２４は、マークを付与しなかった検査の医用画像データについて、経過を観察後に医師により確定診断がなされる（ステップＳ９６）。そして、通信部２６ａは、確定診断がされた医用画像データに対してマークを付与したことを示す情報をリモートバックアップ装置１０ａに送信する（ステップＳ９７）。また、リモートバックアップ装置１０ａは、一定期間経過後、検査内のマークない医用画像データを削除する（ステップＳ９８）。
【００８３】
［処理手順］
次に、図１５を用いて、処理手順を説明する。図１５は、医用画像診断装置２０ｂによる処理の処理手順を示すフローチャートである。図１５に示すように、医用画像診断装置２０ｂにおいて、システム制御部２４は、一日の業務を開始する（ステップＳ１０１）。そして、システム制御部２４は、業務の終了を受付けたか否かを判定する（ステップＳ１０２）。
【００８４】
ここで、システム制御部２４は、業務の終了を受付けていないと判定する場合（ステップＳ１０２、Ｎｏ）、検査の開始を受付ける（ステップＳ１０３）。続いて、システム制御部２４は、検査の終了を受付けたか否かを判定する（ステップＳ１０４）。
【００８５】
ここで、システム制御部２４は、検査の終了を受付けていないと判定する場合（ステップＳ１０４、Ｎｏ）、医用画像データを画像表示部２２に表示する（ステップ１０５）。続いて、システム制御部２４は、医師から確定診断を受付ける（ステップＳ１０６）。そして、マーク付与部２７は、確定診断を受付けた医用画像データにマークを付与する（ステップＳ１０７）。そして、取得部２５は、モードが抽出モードであるか否かを判定する（ステップＳ１０８）。
【００８６】
ここで、取得部２５が、モードが抽出モードであると判定する場合（ステップＳ１０８、Ｙｅｓ）、画像抽出部２５ｂは、１フレームを抽出する（ステップＳ１０９）。一方、取得部２５が、モードが抽出モードではないと判定する場合（ステップＳ１０８、Ｎｏ）。スクリーンキャプチャ部２５ａは、スクリーンキャプチャを取得する（ステップＳ１１０）。
【００８７】
ステップＳ１０９またはステップＳ１１０の処理の後、通信部２６ａは、取得した医用画像データをリモートバックアップ装置１０ａに送信し（ステップＳ１１１）、ステップＳ１０４に移行する。
【００８８】
システム制御部２４は、ステップＳ１０４において、検査の終了を受付けたと判定する場合（ステップＳ１０４、Ｙｅｓ）、検査内のマークが付与された画像をリモートバックアップ装置１０ａに送信する（ステップＳ１１２）。そして、システム制御部２４は、ステップＳ１１２の終了後、ステップＳ１０２に移行する。
【００８９】
ステップＳ１０２において、システム制御部２４は、業務の終了を受付けたと判定する場合（ステップＳ１０２、Ｙｅｓ）、通信部２６ａは、当日のマークされた画像が存在しない検査内のすべての医用画像データをリモートバックアップ装置１０ａに送信し（ステップＳ１１３）、処理を終了する。
【００９０】
上述したように、第３の実施形態によれば、診断に使った最小限の画像をただちに送信することで、素早くリアルタイムに医用画像データをバックアップすることができる。また、第３の実施形態によれば、最小限の画像をリアルタイムで送付したのち、検査終了後に確定診断された元画像を送信する。これによって最終的にはバックアップされたデータの画像品質はオリジナルと同等となる。さらに、第３の実施形態によれば、最終的に、必要な画像のみをバックアップすることで、バックアップに必要な容量をより少なくすることができる。
【００９１】
以上説明した少なくともひとつの実施形態によれば、災害等が発生した場合でも、医用画像データをバックアップする可能性を高めることができる医用画像診断装置及び医用画像データバックアップシステムを提供することができる。
【００９２】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９３】
２０  医用画像診断装置
２５  取得部
２６  通信部
【図１】
2014104137.tif 000003
【図２】
2014104137.tif 000004
【図３】
2014104137.tif 000005
【図４】
2014104137.tif 000006
【図５】
2014104137.tif 000007
【図６】
2014104137.tif 000008
【図７】
2014104137.tif 000009
【図８】
2014104137.tif 000010
【図９】
2014104137.tif 000011
【図１０】
2014104137.tif 000012
【図１１】
2014104137.tif 000013
【図１２】
2014104137.tif 000014
【図１３】
2014104137.tif 000015
【図１４】
2014104137.tif 000016
【図１５】
2014104137.tif 000017